【手続補正書】
【提出日】平成19年2月14日(2007.2.14)
【手続補正１】
【補正対象書類名】明細書
【補正対象項目名】特許請求の範囲
【補正方法】変更
【補正の内容】
【特許請求の範囲】
【請求項１】  （ａ）少なくとも１種のエチレン性不飽和光重合性化合物と、
（ｂ）光開始剤としての、少なくとも１種の式（Ｉ）、（II）、（III）、（IV）、（Ｖ）及び／又は（VI）
【化１】
2002538241.tif 000001
（式中、
ｍは、０又は１であり、
ｎは、０、１、２又は３であり、
ｘは、１又は２であり、
Ｒ1は、フェニルであるか、基Ｃ1〜Ｃ12アルキル、Ｃ1〜Ｃ4ハロアルキル、ハロゲン、フェニル、ＯＲ10、ＮＲ11Ｒ12、ＳＲ13及び／又は−Ｓ−フェニルの１個以上によって置換されているフェニルであり、置換基ＯＲ10、ＳＲ13及びＮＲ11Ｒ12は、基Ｒ10、Ｒ11、Ｒ12及び／又はＲ13を介してフェニル環上のさらなる置換基又はフェニル環の炭素原子の１個とで５又は６員環を形成することができ、あるいは、
Ｒ1は、ナフチル、アントラシル又はフェナントリルであり、基ナフチル、アントラシル及びフェナントリルは、非置換であるか、Ｃ1〜Ｃ6アルキル、フェニル、ＯＲ10、ＮＲ11Ｒ12、ＳＲ13及び／又は−Ｓ−フェニルによって置換されており、置換基ＯＲ10、ＳＲ13及びＮＲ11Ｒ12は、基Ｒ10、Ｒ11、Ｒ12及び／又はＲ13を介してナフチル、アントラシル若しくはフェナントリル環上のさらなる置換基又はナフチル、アントラシル若しくはフェナントリル環の炭素原子の１個とで５又は６員環を形成することができ、あるいは、
Ｒ1は、非置換であるか、Ｃ1〜Ｃ6アルキル、フェニル、ＯＲ10、ＮＲ11Ｒ12、ＳＲ13及び／又は−Ｓ−フェニルによって置換されているヘテロアリール基であり、置換基ＯＲ10、ＳＲ13及びＮＲ11Ｒ12は、基Ｒ10、Ｒ11、Ｒ12及び／又はＲ13を介してヘテロアリール環上のさらなる置換基又はヘテロアリール環の炭素原子の１個とで５又は６員環を形成することができ、あるいは、
Ｒ1は、Ｃ2〜Ｃ12アルケニル、Ｃ4〜Ｃ8シクロアルケニル又はＣ6〜Ｃ12ビシクロアルケニルであり、あるいは、
ｍがゼロであるならば、式（Ｉ）のＲ1はさらに、ベンゾイル、２−フロイル、２−チオフェンカルボニル、２−ピリジンカルボニル又は２−ピロールカルボニルであり、基ベンゾイル、２−フロイル、２−チオフェンカルボニル、２−ピリジンカルボニル又は２−ピロールカルボニルは、非置換であるか、基Ｃ1〜Ｃ12アルキル、Ｃ1〜Ｃ4ハロアルキル、ハロゲン、フェニル、ＯＲ10、ＮＲ11Ｒ12、ＳＲ13及び／又は−Ｓ−フェニルの１個以上によって置換されており、置換基ＯＲ10、ＳＲ13及びＮＲ11Ｒ12は、基Ｒ10、Ｒ11、Ｒ12及び／又はＲ13を介してベンゾイル、２−フロイル、２−チオフェンカルボニル、２−ピリジンカルボニル若しくは２−ピロールカルボニル環上のさらなる置換基又はベンゾイル、２−フロイル、２−チオフェンカルボニル、２−ピリジンカルボニル若しくは２−ピロールカルボニル環の炭素原子の１個とで５又は６員環を形成することができ、あるいは、
ｍがゼロであり、ｎが１であり、同時にＲ5が、非置換であるか、１個以上のＣ1〜Ｃ12アルキル、Ｃ1〜Ｃ4ハロアルキル、ハロゲン、フェニル、ＯＲ10、ＮＲ11Ｒ12、ＳＲ13及び／又は−Ｓ−フェニルによって置換されているフェニルであるならば、式（Ｉ）のＲ1はさらに水素であり、あるいは、
ｍがゼロであり、ｎがゼロであるならば、式（Ｉ）のＲ1はさらにＣＮ、水素又はＣ1〜Ｃ12アルキルであり、ただし、Ｒ1とＲ2とが同時に水素又はアルキルであることはなく、
Ｒ′1は、Ｃ2〜Ｃ12アルキレン、フェニレン、ナフチレン、
【化２】
2002538241.tif 000002
ジフェニレン又はオキシジフェニレンであり、これらの基は、非置換であるか、Ｃ1〜Ｃ12アルキルによって置換されており、
Ｒ2は、Ｒ1の意味のいずれかを有するか、フェニル、ＣＮ置換フェニル、Ｃ2〜Ｃ6アルカノイル、非置換であるか、Ｃ1〜Ｃ6アルキル、フェニル、ＯＲ10、ＳＲ13、ＮＲ11Ｒ12及び／又は−Ｓ−フェニルによって置換されているベンゾイルであり、あるいは、
Ｒ2は、ＣＮ、フェノキシカルボニル、ＮＯ2、Ｃ1〜Ｃ4ハロアルキル、Ｃ2〜Ｃ6アルコキシカルボニル、Ｓ（Ｏ）y−Ｃ1〜Ｃ6アルキル、Ｓ（Ｏ）y−Ｃ6〜Ｃ12アリール、Ｃ1〜Ｃ12アルキル置換Ｓ（Ｏ）y−Ｃ6〜Ｃ12アリール、ＳＯ2Ｏ−Ｃ1〜Ｃ6アルキル、ＳＯ2Ｏ−Ｃ6〜Ｃ10アリール、ジフェニルホスフィノイル又はＮＨＣＯＮＨ2であり、あるいは、
ｍが１であるならば、Ｒ1とＲ2は、ＣＯ基と一緒になって、非置換であるか、Ｃ1〜Ｃ6アルキル、フェニル、ＯＲ10、ＳＲ13、ＮＲ11Ｒ12及び／又は−Ｓ−フェニルによって置換されている５又は６員環を形成することができ、該環はさらに、−Ｏ−、−Ｓ−、−Ｎ（Ｒ11）−及び／又はＣＯによって中断されていてもよく、該環に対し、１個以上のベンゾ基が縮合していてもよく、
ｙは、１又は２であり、
Ｒ3は、ｘが１であるならば、Ｃ1〜Ｃ18アルキルスルホニル、フェニル−Ｃ1〜Ｃ3アルキルスルホニル、カンフリルスルホニル、Ｃ1〜Ｃ10ハロアルキルスルホニル、フェニルスルホニル、ナフチルスルホニル、アントラシルスルホニル又はフェナントリルスルホニルであり、基フェニル−Ｃ1〜Ｃ3アルキルスルホニル、フェニルスルホニル、ナフチルスルホニル、アントラシルスルホニル及びフェナントリルスルホニルの基フェニル、ナフチル、アントラシル及びフェナントリルは、非置換であるか、１個以上のハロゲン、Ｃ1〜Ｃ4ハロアルキル、ＣＮ、ＮＯ2、Ｃ1〜Ｃ16アルキル、フェニル、Ｃ1〜Ｃ4アルキルチオ、ＯＲ10、ＣＯＯＲ13、Ｃ1〜Ｃ4アルキル−ＯＣＯ−、Ｒ13ＯＳＯ2−及び／又はＮＲ11Ｒ12によって置換されており、あるいは、
Ｒ3は、Ｃ2〜Ｃ6ハロアルカノイル、ハロベンゾイル又は基
【化３】
2002538241.tif 000003
であり、
Ｒ3は、ｘが２であるならば、Ｃ2〜Ｃ12アルキレンジスルホニル、フェニレンジスルホニル、ナフチレンジスルホニル、
【化４】
2002538241.tif 000004
ジフェニレンジスルホニル又はオキシジフェニレンジスルホニルであり、基フェニレンジスルホニル、ナフチレンジスルホニル、
【化５】
2002538241.tif 000005
ジフェニレンジスルホニル又はオキシジフェニレンジスルホニルの基フェニレン、ナフチレン、
【化６】
2002538241.tif 000006
ジフェニレン及びオキシジフェニレンは、非置換であるか、Ｃ1〜Ｃ12アルキルによって置換されており、
Ｒ4及びＲ5は、互いに独立して、水素、ハロゲン、Ｃ1〜Ｃ8アルキル、Ｃ1〜Ｃ6アルコキシ、Ｃ1〜Ｃ4ハロアルキル、ＣＮ、ＮＯ2、Ｃ2〜Ｃ6アルカノイル、ベンゾイル、フェニル、−Ｓ−フェニル、ＯＲ10、ＳＲ13、ＮＲ11Ｒ12、Ｃ2〜Ｃ6アルコキシカルボニル、フェノキシカルボニル、Ｓ（Ｏ）y−Ｃ1〜Ｃ6アルキル、Ｓ（Ｏ）yＣ6〜Ｃ12アリール、Ｃ1〜Ｃ12アルキル置換Ｓ（Ｏ）yＣ6〜Ｃ12アリール、ＳＯ2Ｏ−Ｃ1〜Ｃ6アルキル、ＳＯ2Ｏ−Ｃ6〜Ｃ10アリール又はＮＨＣＯＮＨ2であり、あるいは、
Ｒ4とＲ5とが一緒になって、直接結合又は−Ｃ（Ｒ21）＝Ｃ（Ｒ22）−Ｃ（Ｒ23）＝Ｃ（Ｒ24）−であり、
Ｒ6、Ｒ7、Ｒ8は、互いに独立して、水素、Ｒ26Ｙ−、任意によりＣ1〜Ｃ4アルキル又はＣ1〜Ｃ4アルキル−Ｙによって置換されているフェニルであり、あるいは、
Ｒ6、Ｒ7及びＲ8は、任意によりハロゲン、ＯＨ、ＯＲ25、ＣＯＯＲ25又はＣ1〜Ｃ4アルキル−ＣＯＯ−によって置換されているか、任意により１個以上の−Ｏ−によって中断されているＣ1〜Ｃ8アルキルであり、あるいは、
Ｒ6及びＲ7は、それらが結合する原子と一緒になって、非置換であるか、１個以上のＣ1〜Ｃ4アルキルによって置換されており、任意により１個以上のＹによって中断されているか、他の環が縮合している５又は６員の飽和又は不飽和の環を形成し、
Ｒ9は、Ｃ5〜Ｃ8シクロアルキル、任意によりＣ1〜Ｃ4アルキルによって置換されているフェニルであるか、任意によりハロゲン、ＯＨ又はＯＲ25によって置換されているか、任意により１個以上の−Ｏ−によって中断されているＣ1〜Ｃ12アルキルであり、
Ａは、−Ｓ−、−Ｏ−、−ＮＲ10−又は式Ａ１、Ａ２、Ａ３若しくはＡ４
【化７】
2002538241.tif 000007
の基であり、
Ｑは、任意により１個以上の−Ｏ−によって中断されているＣ1〜Ｃ8アルキレンであり、
Ｘは、−Ｏ−又は−ＮＲ9−であり、
Ｙ、Ｙ1、Ｙ2及びＹ3は、互いに独立して、−Ｏ−又は−Ｓ−であり、
Ｚは、−ＣＲ28−又は−Ｎ−であり、
Ｚ1は、−ＣＨ2−、−Ｓ−、−Ｏ−又は−ＮＲ10−であり、
Ｒ10は、水素、フェニル、非置換であるか、フェニル、ＯＨ、Ｃ1〜Ｃ12アルコキシ、Ｃ1〜Ｃ12アルキルスルホニル、フェニルスルホニル、（４−メチルフェニル）スルホニル及び／又はＣ2〜Ｃ6アルカノイルによって置換されているＣ1〜Ｃ12アルキルであり、あるいは、
Ｒ10は、１個以上の−Ｏ−によって中断されているＣ2〜Ｃ12アルキルであり、該中断されたＣ2〜Ｃ12アルキルは、非置換であるか、フェニル、ＯＨ、Ｃ1〜Ｃ12アルコキシ、Ｃ1〜Ｃ12アルキルスルホニル、フェニルスルホニル、（４−メチルフェニル）スルホニル及び／又はＣ2〜Ｃ6アルカノイルによって置換されており、
Ｒ11及びＲ12は、互いに独立して、水素、非置換であるか、ＯＨ、Ｃ1〜Ｃ4アルコキシ、Ｃ1〜Ｃ12アルキルスルホニル、フェニルスルホニル、（４−メチルフェニル）スルホニル及び／又はＣ1〜Ｃ6アルカノイルによって置換されているＣ1〜Ｃ12アルキルであり、あるいは、
Ｒ11及びＲ12は、１個以上の−Ｏ−によって中断されているＣ2〜Ｃ12アルキルであり、該中断されたＣ2〜Ｃ12アルキルは、非置換であるか、ＯＨ、Ｃ1〜Ｃ4アルコキシ、Ｃ1〜Ｃ12アルキルスルホニル、フェニルスルホニル、（４−メチルフェニル）スルホニル及び／又はＣ1〜Ｃ6アルカノイルによって置換されており、あるいは、
Ｒ11及びＲ12は、フェニル、Ｃ2〜Ｃ6アルカノイル、ベンゾイル、Ｃ1〜Ｃ6アルキルスルホニル、フェニルスルホニル、（４−メチルフェニル）スルホニル、ナフチルスルホニル、アントラシルスルホニル又はフェナントリルスルホニルであり、あるいは、
Ｒ11及びＲ12は、それらが結合する窒素原子と一緒になって、−Ｏ−又は−ＮＲ10−によって中断されていてもよい５、６又は７員環を形成し、
Ｒ13は、非置換であるか、ＯＨ及び／又はＣ1〜Ｃ4アルコキシによって置換されているＣ1〜Ｃ12アルキルであり、あるいは、
Ｒ13は、１個以上の−Ｏ−によって中断されているＣ2〜Ｃ12アルキルであり、該中断されたＣ2〜Ｃ12アルキルは、非置換であるか、ＯＨ及び／又はＣ1〜Ｃ4アルコキシによって置換されており、
Ｒ14及びＲ15は、互いに独立して、非置換であるか、ハロゲン又はフェニルによって置換されているＣ1〜Ｃ6アルキルであり、あるいは、
Ｒ14及びＲ15は、非置換であるか、Ｃ1〜Ｃ4アルキル又はハロゲンによって置換されているフェニルであり、
Ｒ16及びＲ17は、互いに独立して、Ｒ14の意味のいずれかを有し、あるいは、
Ｒ16とＲ17とが一緒になって、非置換であるか、Ｃ1〜Ｃ4アルキル若しくはハロゲンによって置換されている１，２−フェニレン又はＣ2〜Ｃ6アルキレンであり、
Ｒ18、Ｒ19及びＲ20は、互いに独立して、非置換であるか、ハロゲンによって置換されているＣ1〜Ｃ6アルキルであり、あるいは、
Ｒ18、Ｒ19及びＲ20は、非置換であるか、Ｃ1〜Ｃ4アルキル又はハロゲンによって置換されているフェニルであり、あるいは、
Ｒ19とＲ20とが一緒になって、非置換であるか、Ｃ1〜Ｃ4アルキル若しくはハロゲンによって置換されている２，２′−ビフェニレン又はＣ2〜Ｃ6アルキレンであり、
Ｒ21、Ｒ22、Ｒ23及びＲ24は、互いに独立して、水素、Ｃ1〜Ｃ4アルキル、ハロゲン、フェニル、ＯＲ10、ＳＲ13、ＮＲ11Ｒ12、−Ｓ−フェニル、Ｃ2〜Ｃ6アルコキシカルボニル、フェノキシカルボニル、ＣＮ、ＮＯ2、Ｃ1〜Ｃ4ハロアルキル、Ｓ（Ｏ）y−Ｃ1〜Ｃ6アルキル、Ｓ（Ｏ）yＣ6〜Ｃ12アリール、Ｃ1〜Ｃ12アルキル置換Ｓ（Ｏ）yＣ6〜Ｃ12アリール、ＳＯ2Ｏ−Ｃ1〜Ｃ6アルキル、ＳＯ2Ｏ−Ｃ6〜Ｃ10アリール又はＮＨＣＯＮＨ2であり、
Ｒ25は、任意によりハロゲン、ＯＨ又はＣ1〜Ｃ4アルコキシによって置換されているか、任意により１個以上の−Ｏ−によって中断されているＣ1〜Ｃ8アルキルであり、
Ｒ26は、任意によりＣ1〜Ｃ4アルキル若しくはＣ1〜Ｃ4アルキル−Ｙによって置換されているフェニルであるか、又は任意によりハロゲン、ＯＨ、ＯＲ25、ＣＯＯＲ25若しくはＣ1〜Ｃ4アルキル−ＣＯＯ−によって置換されているか、任意により１個以上の−Ｏ−によって中断されているＣ1〜Ｃ8アルキルであり、
Ｒ27及びＲ28は、互いに独立して、Ｒ4に与えた意味のいずれかを有し、あるいは、
Ｒ27とＲ28とが一緒になって、−ＣＯ−ＮＲ10ＣＯ−又は−Ｃ（Ｒ21）＝Ｃ（Ｒ22）−Ｃ（Ｒ23）＝Ｃ（Ｒ24）−である）
の化合物と、
（ｃ）少なくとも１種の共開始剤と
を含むラジカル光重合性組成物。
【請求項２】  光開始剤（ｂ）に加えて、少なくとも１種のさらなる光開始剤（ｅ）及び／又は他の添加物（ｆ）を含む、請求項１記載の光重合性組成物。
【請求項３】  式（Ｖ）又は（VI）
【化１３】
2002538241.tif 000008
（式中、
Ｒ3は、Ｃ1〜Ｃ18アルキルスルホニル、フェニル−Ｃ1〜Ｃ3アルキルスルホニル、カンフリルスルホニル、Ｃ1〜Ｃ18ハロアルキルスルホニル、フェニルスルホニル、ナフチルスルホニル、アントラシルスルホニル又はフェナントリルスルホニルであり、基フェニル−Ｃ1〜Ｃ3アルキルスルホニル、フェニルスルホニル、ナフチルスルホニル、アントラシルスルホニル及びフェナントリルスルホニルの基フェニル、ナフチル、アントラシル及びフェナントリルは、非置換であるか、１個以上のハロゲン、Ｃ1〜Ｃ4ハロアルキル、ＣＮ、ＮＯ2、Ｃ1〜Ｃ16アルキル、フェニル、Ｃ1〜Ｃ4アルキルチオ、ＯＲ10、ＣＯＯＲ13、Ｃ1〜Ｃ4アルキル−ＯＣＯ−、Ｒ13ＯＳＯ2−及び／又は−ＮＲ11Ｒ12によって置換されており、あるいは、
Ｒ3は、Ｃ2〜Ｃ6ハロアルカノイル、ハロベンゾイル又は基
【化１４】
2002538241.tif 000009
であり、
Ｒ6、Ｒ7、Ｒ8は、互いに独立して、水素、Ｒ26Ｙ−、任意によりＣ1〜Ｃ4アルキル又はＣ1〜Ｃ4アルキル−Ｙ−によって置換されているフェニルであり、あるいは、
Ｒ6、Ｒ7及びＲ8は、任意によりハロゲン、ＯＨ、ＯＲ25、ＣＯＯＲ25又はＣ1〜Ｃ4アルキル−ＣＯＯ−によって置換されているか、任意により１個以上の−Ｏ−によって中断されているＣ1〜Ｃ8アルキルであり、あるいは、
Ｒ6及びＲ7は、それらが結合する原子と一緒になって、非置換であるか、１個以上のＣ1〜Ｃ4アルキルによって置換されており、任意により１個以上のＹによって中断されているか、他の環が縮合している５又は６員の飽和又は不飽和の環を形成し、
Ｑは、任意により１個以上の−Ｏ−によって中断されているＣ1〜Ｃ8アルキレンであり、
Ｘは、−Ｏ−又は−ＮＲ9−であり、
Ｙ、Ｙ1、Ｙ2及びＹ3は、互いに独立して、−Ｏ−又は−Ｓ−であり、
Ｒ9は、Ｃ5〜Ｃ8シクロアルキル、任意によりＣ1〜Ｃ4アルキルによって置換されているフェニルであるか、任意によりハロゲン、ＯＨ又はＯＲ25によって置換されているか、任意により１個以上の−Ｏ−によって中断されているＣ1〜Ｃ12アルキルであり、
Ｒ25は、任意によりハロゲン、ＯＨ又はＣ1〜Ｃ4アルコキシによって置換されているか、任意により１個以上の−Ｏ−によって中断されているＣ1〜Ｃ8アルキルであり、
Ｒ26は、任意によりＣ1〜Ｃ4アルキル又はＣ1〜Ｃ4アルキル−Ｙによって置換されているフェニルであるか、又は任意によりハロゲン、ＯＨ、ＯＲ25、ＣＯＯＲ25若しくはＣ1〜Ｃ4アルキル−ＣＯＯ−によって置換されているか、任意により１個以上の−Ｏ−によって中断されているＣ1〜Ｃ8アルキルであり、
ただし、Ｒ3がＣＨ3Ｃ6Ｈ4ＳＯ2−であり、Ｒ6、Ｒ7及びＲ8が水素であり、Ｘが酸素であるならば、
Ｒ9は、メチル又はエチルではなく、
Ｒ10は、水素、フェニル、非置換であるか、フェニル、ＯＨ、Ｃ1〜Ｃ12アルコキシ、Ｃ1〜Ｃ12アルキルスルホニル、フェニルスルホニル、（４−メチルフェニル）スルホニル及び／又はＣ2〜Ｃ6アルカノイルによって置換されているＣ1〜Ｃ12アルキルであり、あるいは、
Ｒ10は、１個以上の−Ｏ−によって中断されているＣ2〜Ｃ12アルキルであり、該中断されたＣ2〜Ｃ12アルキルは、非置換であるか、フェニル、ＯＨ、Ｃ1〜Ｃ12アルコキシ、Ｃ1〜Ｃ12アルキルスルホニル、フェニルスルホニル、（４−メチルフェニル）スルホニル及び／又はＣ2〜Ｃ6アルカノイルによって置換されており、
Ｒ11及びＲ12は、互いに独立して、水素、非置換であるか、ＯＨ、Ｃ1〜Ｃ4アルコキシ、Ｃ1〜Ｃ12アルキルスルホニル、フェニルスルホニル、（４−メチルフェニル）スルホニル及び／又はＣ1〜Ｃ6アルカノイルによって置換されているＣ1〜Ｃ12アルキルであり、あるいは、
Ｒ11及びＲ12は、１個以上の−Ｏ−によって中断されているＣ2〜Ｃ12アルキルであり、該中断されたＣ2〜Ｃ12アルキルは、非置換であるか、ＯＨ、Ｃ1〜Ｃ4アルコキシ、Ｃ1〜Ｃ12アルキルスルホニル、フェニルスルホニル、（４−メチルフェニル）スルホニル及び／又はＣ1〜Ｃ6アルカノイルによって置換されており、あるいは、
Ｒ11及びＲ12は、フェニル、Ｃ2〜Ｃ6アルカノイル、ベンゾイル、Ｃ1〜Ｃ6アルキルスルホニル、フェニルスルホニル、（４−メチルフェニル）スルホニル、ナフチルスルホニル、アントラシルスルホニル又はフェナントリルスルホニルであり、あるいは、
Ｒ11及びＲ12は、それらが結合する窒素原子と一緒になって、−Ｏ−又は−ＮＲ10−によって中断されていてもよい５、６又は７員環を形成し、
Ｒ13は、非置換であるか、ＯＨ及び／又はＣ1〜Ｃ4アルコキシによって置換されているＣ1〜Ｃ12アルキルであるか、１個以上の−Ｏ−によって中断されているＣ2〜Ｃ12アルキルであり、該中断されたＣ2〜Ｃ12アルキルは、非置換であるか、ＯＨ及び／又はＣ1〜Ｃ4アルコキシによって置換されており、
Ｒ14及びＲ15は、互いに独立して、非置換であるか、ハロゲンによって置換されているＣ1〜Ｃ6アルキルであるか、非置換であるか、Ｃ1〜Ｃ4アルキル又はハロゲンによって置換されているフェニルであり、
Ｒ16及びＲ17は、互いに独立して、Ｒ14の意味のいずれかを有し、あるいは、
Ｒ16とＲ17とが一緒になって、非置換であるか、Ｃ1〜Ｃ4アルキル若しくはハロゲンによって置換されている１，２−フェニレン又はＣ2〜Ｃ6アルキレンであり、
Ｒ18、Ｒ19及びＲ20は、互いに独立して、非置換であるか、ハロゲンによって置換されているＣ1〜Ｃ6アルキルであるか、非置換であるか、Ｃ1〜Ｃ4アルキル又はハロゲンによって置換されているフェニルであり、あるいは、
Ｒ19とＲ20とが一緒になって、非置換であるか、Ｃ1〜Ｃ4アルキル若しくはハロゲンによって置換されている２，２′−ビフェニレン又はＣ2〜Ｃ6アルキレンである）
の化合物。
【請求項４】  すなわち、メチルα−（メチルスルホニルオキシイミノ）−２−フェニルアセテート、プロピルα−（４−メチルフェニルスルホニルオキシイミノ）−２−フェニルアセテート、メチルエチルα−（４−メチルフェニルスルホニルオキシイミノ）−２−フェニルアセテート、ブチルα−（４−メチルフェニルスルホニルオキシイミノ）−２−フェニルアセテート、ヘキシルα−（４−メチルフェニルスルホニルオキシイミノ）−２−フェニルアセテート、２−メトキシエチルα−（４−メチルフェニルスルホニルオキシイミノ）−２−フェニルアセテート、エチルα−（４−メチルフェニルスルホニルオキシイミノ）−２−（４−メチルフェニル）アセテート、プロピルα−（４−メチルフェニルスルホニルオキシイミノ）−２−（４−メチルフェニル）アセテート、ブチルα−（４−メチルフェニルスルホニルオキシイミノ）−２−（４−メチルフェニル）アセテート、２−メトキシエチルα−（４−メチルフェニルスルホニルオキシイミノ）−２−（４−メチルフェニル）アセテート、エチルα−（４−メチルフェニルスルホニルオキシイミノ）−２−（４−エチルフェニル）アセテート、エチルα−（４−ブチルフェニルスルホニルオキシイミノ）−２−（４−メチルフェニル）アセテート、エチルα−（４−メチルフェニルスルホニルオキシイミノ）−２−（４−フルオロフェニル）アセテート、エチルα−（４−メチルフェニルスルホニルオキシイミノ）−２−（４−メトキシフェニル）アセテート、エチルα−（４−メチルフェニルスルホニルオキシイミノ）−２−（３，４−ジメトキシフェニル）アセテート、２−メトキシエチルα−（４−メチルフェニルスルホニルオキシイミノ）−２−（３，４−ジメトキシフェニル）アセテート、２−メトキシエチルα−（メチルスルホニルオキシイミノ）−２−（３，４−ジメトキシフェニル）アセテート、メチルα−（４−メチルフェニルスルホニルオキシイミノ）−２−（４−メチルチオフェニル）アセテート、メチルα−（メチルスルホニルオキシイミノ）−２−（４−メチルチオフェニル）アセテート、エチルα−（４−メチルフェニルスルホニルオキシイミノ）−２−（４−メチルチオフェニル）アセテート、２−メトキシエチルα−（４−メチルフェニルスルホニルオキシイミノ）−２−（４−メチルチオフェニル）アセテート、２−メトキシエチルα−（メチルスルホニルオキシイミノ）−２−（４−メチルチオフェニル）アセテート、エチルα−（４−メチルフェニルスルホニルオキシイミノ）−２−（３，４−ブチルチオフェニル）アセテート、エチルα−（４−メチルフェニルスルホニルオキシイミノ）−２−（４−ジメチルアミノフェニル）アセテート、エチルα−（４−メチルフェニルスルホニルオキシイミノ）−２−（チアントレン−２−イル）アセテート、メチルスルホニルオキシイミノ−３，４−ジメトキシフェニル酢酸２−〔２−（メチルスルホニルオキシイミノ−３，４−ジメトキシフェニルアセトキシ）エトキシ〕エチルエステル、Ｎ，Ｎ−ジエチルα−（４−メチルフェニルスルホニルオキシイミノ）−２−フェニルアセチルアミド、Ｎ，Ｎ−ジエチルα−（メチルスルホニルオキシイミノ）−２−フェニルアセチルアミド、Ｎ，Ｎ−ジブ���ルα−（４−メチルフェニルスルホニルオキシイミノ）−２−フェニルアセチルアミド、Ｎ，Ｎ−ジエチルα−（４−メチルフェニルスルホニルオキシイミノ）−２−（４−エチルフェニル）アセチルアミド、メチルα−（ジエトキシホスホリルオキシイミノ）−２−フェニルアセテート、エチルα−（ジエトキシホスホリルオキシイミノ）−２−フェニルアセテート、プロピルα−（ジエトキシホスホリルオキシイミノ）−２−フェニルアセテート、２−メトキシエチルα−（ジエトキシホスホリルオキシイミノ）−２−（３，４−ジメトキシフェニル）アセテート、メチルα−（ジエトキシホスホリルオキシイミノ）−２−（４−メチルチオフェニル）アセテート、エチルα−（ジエトキシホスホリルオキシイミノ）−２−（４−メチルチオフェニル）アセテートである、請求項３記載の化合物。
【請求項５】  エチレン性不飽和二重結合を含む化合物のラジカル光重合法であって、請求項１記載の組成物を、１９０〜６００nmの範囲の電磁放射線、ｅビーム放射線又はＸ線で照射することを含む方法。
【請求項６】  着色及び非着色塗料及びワニス、粉末塗料、印刷インク、版面、接着剤、歯科用組成物、複合組成物、レジスト、たとえばフォトレジスト、カラーフィルタ材料、電気及び電子部品を封入するための組成物を製造し、磁気記録材料、微小機械部品、導波管、光スイッチ、めっきマスク、エッチマスク、カラープルーフ系、ガラス繊維ケーブル被覆、スクリーン印刷ステンシルを製造し、マイクロリソグラフィー、めっき、ステレオリソグラフィーによって三次元物体を製造し、画像記録材料、特にホログラフィー記録用の画像記録材料、マイクロ電子回路、脱色材、画像記録材料用の脱色材、マイクロカプセルを使用する画像記録材料用の脱色材を製造する、請求項５記載の方法。
【請求項７】  少なくとも一方の面を請求項１記載の組成物で被覆された被覆基材。